(57)【要約】【課題】鍵の開閉データを入手できるようにして容易に履歴管理を行うことを可能にする。【解決手段】ＲＦＩＤ鍵１のＣＰＵ１１は、キーＳＷ１９の変化をチェックし、キーＳＷ１９が変化した際にキーＳＷ１９の開閉データ（時間と状態）をＲＡＭ１３に保存し、許可ＩＤコマンドを受信した際にキーＳＷ１９の開錠を許可し、キーＳＷ１９の開閉データ報告コマンドを受信した際にＲＡＭ１３に保存されているキーＳＷ１９の開閉データを読んでレスポンスを作成してレスポンス送信処理を行う。【選択図】    図３
2005264628.tif 000002
【特許請求の範囲】
【請求項１】
無線周波帯の搬送波を用いて非接触にて受信または送信する情報タグが組み込まれている鍵を用いた履歴管理システムであって、
上記情報タグ内に設けられ、情報を保存する保存手段と、
上記鍵の開閉を検知する検知手段と、
この検知手段で上記鍵の開、または閉を検知した際、時刻情報等を付加して開情報または閉情報を作成して上記保存手段に保存する制御を行う第１の制御手段と、
上記情報タグが許可コマンドを受信した際、上記鍵の開錠を許可する許可手段と、
上記情報タグが履歴報告コマンドを受信した際、上記保存手段に保存されている開閉情報を読み出して送信する制御を行う第２の制御手段と、
を具備したことを特徴とする履歴管理システム。
【発明の詳細な説明】
【技術分野】
【０００１】
この発明は、無線周波帯の搬送波を用いて非接触にて通信を行う情報タグ（ＲＦＩＤタグ）を用いた履歴管理システムに関する。
【背景技術】
【０００２】
従来、貴重品の小荷物を配送する場合、例えば、書留郵便物などは袋の中に入れて紐と封緘でセキュリティを確保していた。この袋を開ける場合には、封緘を破壊するので、繰り返し使用するということができなかった。
【０００３】
そこで、このような袋に鍵を設けることが考えられる。例えば、ショーケースに陳列された商品の盗難を防止するため、店員の持っているＩＤ番号を記録したＩＤタグを用いて自動錠をあける方法が提案されている（例えば、特許文献１）。
【０００４】
しかしながら、この提案はショーケースであり、配送する袋に応用するのは困難である。また、上述した封緘の方法だと、当該袋の履歴を調べることもできなかった。
【特許文献１】特開平１０−１５９４１５号公報
【発明の開示】
【発明が解決しようとする課題】
【０００５】
上記したように、袋の中の貴重品のセキュリティを確保するのに紐と封緘とでは、当該袋の中の紛失等が発生した場合の履歴管理ができないという問題があった。
【０００６】
この発明の目的は、貴重品等の紛失調査が容易にできる履歴管理システムを提供することである。
【課題を解決するための手段】
【０００７】
この発明の履歴管理システムは、無線周波帯の搬送波を用いて非接触にて受信または送信する情報タグが組み込まれている鍵を用いた履歴管理システムであって、上記情報タグ内に設けられ、情報を保存する保存手段と、上記鍵の開閉を検知する検知手段と、この検知手段で上記鍵の開、または閉を検知した際、時刻情報等を付加して開情報または閉情報を作成して上記保存手段に保存する制御を行う第１の制御手段と、上記情報タグが許可コマンドを受信した際、上記鍵の開錠を許可する許可手段と、上記情報タグが履歴報告コマンドを受信した際、上記保存手段に保存されている開閉情報を読み出して送信する制御を行う第２の制御手段とから構成されている。
【発明の効果】
【０００８】
本発明の履歴管理システムは、鍵として用いる情報タグに開閉情報が記録されると共に許可ＩＤコマンドの受信により開錠を許可し、開閉情報報告コマンドにより鍵の開閉情報を入手することができ、容易に履歴管理を行うことができる。
【発明を実施するための最良の形態】
【０００９】
以下、図面を参照して、この発明の実施の形態について詳細に説明する。
【００１０】
図１は、この発明の履歴管理システムに係るＲＦＩＤ（情報タグ）型の鍵１の外観構成を示すものである。以下、ＲＦＩＤ鍵１として記述する。図１に示すように、ＲＦＩＤ鍵１は、本体２の上部に設けられたリング３の片方先端に後述するスイッチの接点が設けられている。
【００１１】
図２は、ＲＦＩＤ鍵１の施錠状態を示している。図に示すように、ＲＦＩＤ鍵１の本体２にリング３が固定される。
【００１２】
図３は、ＲＦＩＤ鍵１の概略構成を示すものである。ＲＦＩＤ鍵１は、全体の制御を司るＣＰＵ（制御手段）１１、プログラム等を記憶しているＲＯＭ１２、情報を一時記憶するＲＡＭ１３、変調及び復調を行う変／復調回路１４、アンテナ１０に接続されたアナログ回路１５、電力を発生して各回路に電力を供給する電力発生回路１６、バックアップ電源としても使用されるバッテリ１７、バッテリ１７にバックアップされて計時するリアルタイムクロック回路１８、及びキースイッチ（ＳＷ）１９とから構成されている。
【００１３】
図４は、ＲＦＩＤ鍵１と無線周波帯の搬送波を用いて非接触にて通信を行うＲＦＩＤスキャナ２０の概略構成を示すものである。ＲＦＩＤスキャナ２０は、全体の制御を司るＣＰＵ２１、プログラム等を記憶しているＲＯＭ２２、情報を一時記憶するＲＡＭ２３、変調及び復調を行う変／復回路２４、アンテナ２６に接続される電波入出力回路２５、及びパーソナルコンピュータ（ＰＣ）３０とＲＳ−２３２Ｃを介して接続するインターフェース（Ｉ／Ｆ）ドライバ２７とから構成されている。
【００１４】
図５は、ＰＣ３０の構成例を示すものである。ＰＣ３０は、全体の制御を司るＣＰＵ３１、プログラム等を記憶しているＲＯＭ３２、情報を一時記憶するＲＡＭ３３、情報を記憶するハードディスク装置（ＨＤＤ）３４、及びＲＦＩＤスキャナ２０とＲＳ−２３２Ｃを介して接続するインターフェース（Ｉ／Ｆ）ドライバ３５とから構成されている。
【００１５】
図６は、書留郵便物を袋７０に入れてＲＦＩＤ鍵１で施錠して配達する例を示すものである。すなわち、袋７０の発送局４０はＲＦＩＤスキャナ２０とＰＣ３０とを有し、中継局５０もＲＦＩＤスキャナ２０とＰＣ３０とを有し、配達局６０もＲＦＩＤスキャナ２０とＰＣ３０とを有している。この例では、袋７０は、発送局４０から中継局５０を経由して配達局６０に配送される。
【００１６】
次に、このような構成において、袋７０を施錠するＲＦＩＤ鍵１の動作を図７のフローチャートを参照して説明する。
【００１７】
ＲＦＩＤ鍵１のＣＰＵ１１は、電源オンとなった際、まず、Ｉ／Ｏの初期化を行う（ＳＴ１）。
【００１８】
続いて、ＣＰＵ１１は、コマンドを受信したかチェックし（ＳＴ２）、コマンドを受信していない場合、キーＳＷ１９が変化したかをチェックする（ＳＴ３）。
【００１９】
ステップＳＴ３でキーＳＷ１９が変化した場合、ＣＰＵ１１は、キーＳＷ１９の開閉データ（時間と状態）をＲＡＭ（保存手段）１３に保存する（ＳＴ４）。なお、ＣＰＵ１１は、時間についてはリアルタイムクロック回路１８を参照し、状態についてはキーＳＷ１９の施錠、開錠等を開閉データとして保存する。
【００２０】
ステップＳＴ３でキーＳＷ１９の変化がない場合、ＣＰＵ１１は、コマンド受信待機状態となる。
【００２１】
一方、ステップＳＴ２でコマンドを受信した際、ＣＰＵ１１は、コマンドの解析処理を行う（ＳＴ５）。
【００２２】
ここで、ＣＰＵ１は、ステップＳＴ３の解析処理の結果、コマンドの解析が不可の場合にステップＳＴ２へ移行し、コマンドの解析ができた場合に次ステップへ移行する（ＳＴ６）。
【００２３】
コマンドの解析ができた場合、ＣＰＵ１１は、シーケンスエラーかをチェックし（ＳＴ７）、シーケンスエラーであればシーケンスエラーレスポンスを作成し（ＳＴ８）、レスポンス送信処理を行う（ＳＴ１９）。
【００２４】
ステップＳＴ７でシーケンスエラーでない場合、ＣＰＵ１１は、コマンドエラーかをチェックし（ＳＴ９）、コマンドエラーであればコマンドエラーレスポンスを作成し（ＳＴ１０）、レスポンス送信処理を行う（ＳＴ１９）。
【００２５】
ステップＳＴ９でコマンドエラーでない場合、ＣＰＵ（許可手段）１１は、許可ＩＤコマンドかをチェックし（ＳＴ１１）、許可ＩＤコマンドであればキーＳＷ１９の開錠を許可し（ＳＴ１２）、レスポンスを作成し（ＳＴ１８）、レスポンス送信処理を行う（ＳＴ１９）。このステップＳＴ１２のＣＰＵ１１によるキーＳＷ１９の開錠許可によって、ＲＦＩＤ鍵１のリング３を開くことができる。なお、この開錠許可によりリング３が開かれた際、ＣＰＵ１１は、ステップＳＴ３でキーＳＷ１９が変化したとして、キーＳＷ１９の開閉データ（時間と状態）をＲＡＭ１３に保存する（ＳＴ４）
ステップＳＴ１１で許可ＩＤコマンドでない場合、ＣＰＵ１１は、キーＳＷ１９の開閉データクリアコマンドかをチェックし（ＳＴ１３）、キーＳＷ１９の開閉データクリアコマンドであればＲＡＭ１３に保存されているキーＳＷ１９の開閉データをクリアにする（ＳＴ１４）。そして、ＣＰＵ１１は、レスポンスを作成し（ＳＴ１８）、レスポンス送信処理を行う（ＳＴ１９）。
【００２６】
ステップＳＴ１３でキーＳＷ１９の開閉データクリアコマンドでない場合、ＣＰＵ１１は、キーＳＷ１９の開閉データ報告コマンドかをチェックし（ＳＴ１５）、キーＳＷ１９の開閉データ報告コマンド（履歴報告コマンド）であればＲＡＭ１３に保存されているキーＳＷ１９の開閉データを読み（ＳＴ１４）、レスポンスを作成し（ＳＴ１８）、レスポンス送信処理を行う（ＳＴ１９）。
【００２７】
ステップＳＴ１５でキーＳＷ１９の開閉データ報告コマンドでない場合、ＣＰＵ１１は、その他のコマンドを実行し（ＳＴ１７）、レスポンスを作成し（ＳＴ１８）、レスポンス送信処理を行う（ＳＴ１９）。
【００２８】
そして、ＣＰＵ１１は、レスポンス（応答）送信処理後（ＳＴ１９）、ステップＳＴ２に戻る。
【００２９】
上述したように、本実施例では、袋７０の中に入った書留郵便物を、発送局４０、中継局５０、配達局６０の間で輸送する場合に、ＲＦＩＤ鍵１を付すことで、いつ袋７０を閉じたか開けたかの履歴を管理することができる。
【００３０】
以上説明したように上記発明の実施の形態によれば、ＲＦＩＤ型の鍵を付すことにより、紛失調査を容易に行うことができる。
【００３１】
なお、上記実施例では、袋にＲＦＩＤ型の鍵を付したが、箱であっても良く、要はＲＦＩＤ型の鍵を用いることにより開閉データを記憶して履歴管理を容易にする。
【００３２】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。さらに、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００３３】
【図１】この発明の履歴管理システムに係るＲＦＩＤ（情報タグ）型の鍵の外観構成を示す図。
【図２】ＲＦＩＤ鍵の施錠状態を示す図。
【図３】ＲＦＩＤ鍵の概略構成を示すブロック図。
【図４】ＲＦＩＤスキャナの概略構成を示す図。
【図５】パーソナルコンピュータの構成例を示す図。
【図６】書留郵便物を袋に入れてＲＦＩＤ鍵で施錠して配達する例を示す図。
【図７】袋を施錠するＲＦＩＤ鍵の動作を説明するためのフローチャート。
【符号の説明】
【００３４】
１…ＲＦＩＤ（情報タグ）型の鍵、２…本体、３…リング、１０，２６…アンテナ、１１，２１，３１…ＣＰＵ、１２，２２，３２…ＲＯＭ、１３，２３，３３…ＲＡＭ、１４，２４…変／復調回路、１５…アナログ回路、１６…電力発生回路、１７…バッテリ、１８…リアルタイムクロック回路、１９…キースイッチ（検知手段）、２５…電波入出力回路、２７，３５…インターフェースドライバ、３４…ハードディスク装置、４０…発送局、５０…中継局、６０…配達局、７０…袋。
【図１】
2005264628.tif 000003
【図２】
2005264628.tif 000004
【図３】
2005264628.tif 000005
【図４】
2005264628.tif 000006
【図５】
2005264628.tif 000007
【図６】
2005264628.tif 000008
【図７】
2005264628.tif 000009